(57)【要約】【課題】ネジ等の他の固定部材を用いたり、専用の工程設備によってかしめる方法を用いたりすることなく、部品を固定する固定機構を提供する。【解決手段】灯具３を器具本体に取り付ける灯具側連結部３６の固定機構において、前記灯具３は、一面に第１突出部３１５（第１突当部）と第２突出部３１６（第２突当部）とを有する板状の台座３１と、第１係合部３６３と第２係合部３６９とを有する灯具側連結部３６とを備え、前記灯具側連結部３６は、前記第１係合部３６３と前記第１突出部３１５とが係り合うことによって、一方向（端向きＸ１）に移動することを規制されており、前記灯具側連結部３６は、前記第２係合部３６９と前記第２突出部３１６とが係り合うことによって、前記一方向と反対方向（中向きＸ２）に移動することを規制されている。【選択図】図９
2019175607.tif 000002
【特許請求の範囲】
【請求項１】
灯具を器具本体に取り付ける灯具側連結部の固定機構において、
前記灯具は、
第１突当部と第２突当部とを有する板状の台座と、
第１係合部と第２係合部とを有する灯具側連結部と
を備え、
前記灯具側連結部は、前記第１係合部と前記第１突当部とが係り合うことによって、一方向に移動することを規制されており、
前記灯具側連結部は、前記第２係合部と前記第２突当部とが係り合うことによって、前記一方向と反対方向に移動することを規制されている固定機構。
【請求項２】
前記灯具側連結部は、前記第１係合部と前記第１突当部とが係り合うことによって、前記一方向と交わる向きに移動することを規制されている請求項１に記載の固定機構。
【請求項３】
前記灯具側連結部は、前記第１係合部に隆起部を有し、
前記灯具側連結部は、前記隆起部と前記第１突当部とが係り合うことによって、前記一方向と交わり前記台座の一面と交わる向きに移動することを規制されている請求項１又は２に記載の固定機構。
【請求項４】
前記台座は、前記第１突当部のサイドに、スライド貫通孔を有し、
前記灯具側連結部は、前記第１係合部のサイドに、取付機能部を有し、
前記灯具側連結部は、前記スライド貫通孔と前記取付機能部とが係り合うことによって、前記一方向と交わる向きに移動することを規制されている請求項１から３のいずれか１項に記載の固定機構。
【請求項５】
前記第２突当部は、前記一方向に向かって形成された爪部を有し、
前記第２係合部は、前記一方向と反対方向に形成された係止端部を有し、
前記爪部の爪先端部と前記第２係合部の前記係止端部とが係り合っている請求項１から４のいずれか１項に記載の固定機構。
【請求項６】
前記第１突当部は、前記第１係合部を差し込む差込口と前記第１係合部を突出させる突出口とを有し、
前記第２突当部は、前記突出口を有し、
前記第２係合部は、前記第１係合部に形成された係止片を有し、
前記突出口の出口端面と前記係止片の係止端部とが係り合っている請求項１から４のいずれか１項に記載の固定機構。
【請求項７】
前記第１突当部は、前記台座を貫通したスライド貫通孔を有し、
前記第２係合部は、スライド貫通孔に取り付けられた取付機能部を有し、
前記第２突当部は、前記一方向に向かって形成された爪部を有し、
前記第２係合部は、前記一方向と反対方向に形成された係止端部を有し、
前記爪部の爪先端部と前記係止端部とが係り合っている請求項１から３のいずれか１項に記載の固定機構。
【請求項８】
請求項１から７のいずれか１項に記載の固定機構と、
前記台座の他面に配置された発光部と、
を備え、
前記第１突当部は、前記台座の前記発光部の配置領域内に形成されている照明装置。
【請求項９】
前記台座を固定する器具本体を備え、
前記器具本体は、前記灯具側連結部に連結される器具側連結部を有する請求項８に記載の照明装置。
【請求項１０】
一面に第１突当部と第２突当部とを有する板状の台座と、第１係合部と第２係合部とを有する灯具側連結部とを固定する固定方法において、
前記第１係合部と前記第１突当部とが係り合うことによって、前記灯具側連結部が一方向に移動することを規制されており、
前記第２係合部と前記第２突当部とが係り合うことによって、前記灯具側連結部が前記一方向と反対方向に移動することを規制されている固定方法。
【発明の詳細な説明】
【技術分野】
【０００１】
本発明は、固定機構、固定方法、及び、照明装置に関するものである。
具体的には、光源を備えた灯具が器具本体に対して着脱自在に取り付けられる照明装置に関し、特に灯具を器具本体に取り付けるために用いられる連結装置に関する。
【背景技術】
【０００２】
従来、発光モジュール及び直流電源装置を内蔵する長尺状の光源部と、この光源部の一部が挿入される凹部を有する器具本体部とを備える照明器具であって、光源部が器具本体部に着脱自在に取り付けられる照明器具がある。
【先行技術文献】
【特許文献】
【０００３】
【特許文献１】特開２０１４−０７８４２６号公報
【特許文献２】特開２０１５−０２２８８１号公報
【特許文献３】特開２０１５−１１５２４３号公報
【特許文献４】特開２０１６−１８１４０２号公報
【特許文献５】特開２０１７−０８４５６８号公報
【発明の概要】
【発明が解決しようとする課題】
【０００４】
しかしながら、従来の構成は、ネジ等の固定部材を用いており、部材あるいはネジ締め工程を削減することができずコスト高の原因となっていた。また、従来の別の構成は、部材どうしをかしめる方法を用いており、専用の工具あるいは設備を必要とする課題があった。
【０００５】
本発明は、ネジ等の他の固定部材を用いたり、専用の工程設備によってかしめる方法を用いたりすることなく、部品を固定する固定機構を提供する。
【課題を解決するための手段】
【０００６】
この発明の一態様に係る固定機構は、
灯具を器具本体に取り付ける灯具側連結部の固定機構において、
前記灯具は、
一面に第１突出部と第２突出部とを有する板状の台座と、
第１係合部と第２係合部とを有する灯具側連結部と
を備える。
前記灯具側連結部は、前記第１係合部と前記第１突出部とが係り合うことによって、一方向に移動することを規制されており、
前記灯具側連結部は、前記第２係合部と前記第２突出部とが係り合うことによって、前記一方向と反対方向に移動することを規制されている。
【発明の効果】
【０００７】
この発明の一態様に係る固定機構は、前記第１係合部と前記第１突出部とが係り合い、前記第２係合部と前記第２突出部とが係り合うことによって、前記灯具側連結部を固定するので、ネジ等の他の固定部材を用いたり、専用の工程設備によってかしめる方法を用いたりすることなく、前記灯具側連結部を前記台座に固定することができる。
【図面の簡単な説明】
【０００８】
【図１】実施の形態１に係る照明装置を示す斜視図である。
【図２】実施の形態１に係る照明装置の分解斜視図である。
【図３】実施の形態１に係る照明装置の連結機構を説明する図である。
【図４】実施の形態１に係る器具の要部を示す部分拡大斜視図である。
【図５】実施の形態１に係る器具側連結具の斜視図である。
【図６】実施の形態１に係る器具側連結具の正面図である。
【図７】実施の形態１に係る灯具の斜視図である。
【図８】実施の形態１に係る灯具の分解斜視図である。
【図９】実施の形態１に係る灯具側連結具の斜視図である。
【図１０】実施の形態１に係る灯具側連結具の取り付けを説明する図である。
【図１１】実施の形態１の変形例１に係る灯具側連結具の斜視図である。
【図１２】実施の形態１の変形例１に係る灯具側連結具の取り付けを説明する図である。
【図１３】実施の形態１の変形例２に係る灯具側連結具の斜視図である。
【図１４】実施の形態２に係る灯具側連結具の斜視図である。
【図１５】実施の形態２に係る灯具側連結具の取り付けを説明する図である。
【図１６】実施の形態２の変形例１に係る灯具側連結具の斜視図である。
【図１７】実施の形態２の変形例２に係る灯具側連結具の斜視図である。
【図１８】実施の形態２の変形例３に係る灯具側連結具の斜視図である。
【図１９】実施の形態２の変形例３に係る灯具側連結具の取り付けを説明する図である。
【図２０】実施の形態３に係る灯具側連結具の斜視図である。
【図２１】実施の形態３に係る灯具側連結具の取り付けを説明する図である。
【発明を実施するための形態】
【０００９】
以下、本発明の実施の形態について、図面を用いて説明する。なお、以下に説明する実施の形態によって本発明が限定されない。また、以下の図面では各構成部の大きさの関係が実際のものとは異なる場合がある。また、実施の形態の説明において、「上」、「下」、「左」、「右」、「前」、「後」、「表」、「裏」といった方向あるいは位置が示されている場合、それらの表記は、説明の便宜上、そのように記載しているだけであって、装置、器具、部品等の配置あるいは向き等を限定するものではない。
【００１０】
実施の形態１．
＜＜照明装置の構成＞＞
本実施の形態について、図１から図１０を参照して説明する。
【００１１】
＜照明装置１の構成＞
図１、図２及び図３を用いて照明装置１の構成について説明する。
図１は照明装置１を示す斜視図である。図２は照明装置１を器具２と灯具３とに分解した分解斜視図である。図３は連結装置１０による灯具３の器具２への取り付けを説明する図である。
【００１２】
図１、図２及び図３に示すように、照明装置１は長尺状で、天井、壁等の造営部９に取り付けられて使用される照明装置である。
【００１３】
照明装置１は、長尺状の器具２と、器具２に着脱可能に取り付けられる長尺状の灯具３とを備えている。器具２は器具側連結部２２を備えており、灯具３は灯具側連結部３６を備えている。灯具３は、光源ユニットあるいはライトユニットともいう。照明装置１は、器具側連結部２２及び灯具側連結部３６からなる連結装置によって、灯具３が器具２に着脱可能に取り付けられる。器具２及び灯具３は、いずれも長尺状であり、灯具３が器具２に取り付けられた状態ではいずれも照明装置１の長手方向に沿っている。なお、照明装置１、器具２、及び灯具３は、いずれも長尺状のものを例示して説明するが、これ限らず、正方形、円形、多角形等、他の形状であってもよい。
【００１４】
以下の説明において、長手方向を長手方向Ｘ、長手方向Ｘに直交し長手方向Ｘに対する短手方向を短手方向Ｙ、長手方向Ｘ及び短手方向Ｙのいずれとも直交する方向を上下方向Ｚとする。また、長手方向において、長手端部側への向きを端向きＸ１とし、端向きＸ１と反対側への向きであり長手中央側への向きを中向きＸ２とする。さらに、上下方向Ｚにおいて、照明装置１が取り付けられる造営部９側（すなわち天井のような被取付面側）への向きを上向きＺ１とし、上向きＺ１と反対側への向きであり照明装置１から光が照射される照射空間側への向きを下向きＺ２とする。
【００１５】
照明装置１において、器具２と灯具３との位置関係は、器具２が上で灯具３が下であってもよいし、両者が水平に位置するような関係であってもよいし、両者が斜めに位置するような関係であってもよい。また、照明装置１は、長手方向Ｘあるいは短手方向Ｙに複数連結して使用される場合がある。
【００１６】
照明装置１は、器具２に設けられた灯具収容部２００に灯具３が収容される構成となっている。灯具収容部２００は、灯具３の一部を収容する凹部を形成している。器具２は灯具収容部２００に配置される器具側連結部２２を有し、灯具３は台座３１に配置される灯具側連結部３６を有する。器具側連結部２２及び灯具側連結部３６は、照明装置１の連結装置１０を構成する。本実施の形態では、器具側連結部２２をバネ２２あるいは器具側連結具２２ともいう。また、灯具側連結部３６をバネ係合具３６あるいは灯具側連結具３６ともいう。器具２及び灯具３の構成は後段で詳しく説明する。
【００１７】
図３に示すように、本実施の形態における連結装置１０は、器具２に配置される器具側連結部であるバネ２２、及び、灯具３に配置される灯具側連結部であるバネ係合具３６から構成される。バネ２２及びバネ係合具３６は、相互に係り合う（係合する）ことによって、灯具３を器具２の側に引っ張るとともに器具２と灯具３とを連結する。
【００１８】
本実施の形態における連結装置１０は、バネ２２の弾性力によってバネ係合具３６を上向きＺ１に引っ張る構成となっており、これによって器具２の灯具収容部２００に灯具３が収容される。連結装置１０は灯具３の器具２における長手方向Ｘに対する取付位置を決める。また、連結装置１０は灯具３の器具２における短手方向Ｙに対する取付位置を決める。そして、連結装置１０は、器具２の長手方向Ｘまわりの取付角度を決める。
【００１９】
＜器具２の構成＞
図１及び図２に示すように、器具２は、器具本体２０と、器具本体２０の両端部に取り付けられる器具端部２１とを備える。器具２は長尺状に形成されている。器具本体２０は、短手方向Ｙに沿った断面形状がコの字状に形成され、長手方向Ｘに延設された灯具収容部２００を備える。実施の形態１では、器具本体２０及び器具端部２１は、板金が折り曲げられて形成される。灯具収容部２００は折り曲げられた板金に囲まれた長尺状の空間である。なお、器具本体２０は、押出成形等の方法で形成されてもよい。また、器具２を形成する器具本体２０及び器具端部２１は、金属材料以外の材料を用いて形成されてもよく、例えば、樹脂材料を用いて形成されていてもよい。
【００２０】
図２に示すように、灯具収容部２００は、長手方向Ｘに延びた器具底面部２０１と、短手方向Ｙにおける器具底面部２０１の両端部を基端部３２３として立ち上がる器具側面部２０２とを備える。器具側面部２０２の先端には、矩形の開口を形成する開口縁部２０３がある。器具端部２１は、灯具収容部２００の長手方向Ｘにおける両端部を覆うように器具本体２０に取り付けられる。器具端部２１には、複数の照明装置１を長手方向Ｘに連結設置する場合に送り電線の挿通等に開放するノックアウト２１０が形成されてもよい。
【００２１】
灯具収容部２００は、長手方向Ｘに延びる３面を器具本体２０に覆われ、長手方向Ｘにおける両端部を器具端部２１によって覆われており、長手方向Ｘに延びる１面が開放されている。すなわち、器具２には矩形をなす開口が形成されている。灯具３は、この開口から灯具収容部２００の内部に一部が収納される。
【００２２】
また、器具２は、短手方向Ｙにおける灯具収容部２００の外側に、長手方向Ｘに延設された斜面部２０４を備える。本実施の形態では、斜面部２０４は器具本体２０と一体に形成されており、斜面部２０４は、器具側面部２０２の先端部（基端部３２３と反対側）を短手方向Ｙにおける外側の向き且つ上下方向Ｚにおける上向きＺ１である斜め上方に折り曲げられている。斜面部２０４は、灯具３から照射される光の一部を照射空間側に反射する反射面部である。
【００２３】
照明装置１は、器具２の上面を天井面等の造営部に直付け設置される直付けタイプの照明装置である。すなわち、照明装置１は、直付けタイプの器具２を備える。図１及び図２に示す器具２の短手方向Ｙの幅寸法は、例えば、２３０ｍｍである。
【００２４】
図示は省略するが、照明装置１は、灯具３といくつかの異なるタイプの器具と組み合わせることによって、さまざまなタイプの照明装置を構成することができる。以下に、本実施の形態における灯具３、灯具３が取り付けられる灯具収容部２００、及び、連結装置１０を用いることができる照明装置の一例を説明する。
【００２５】
（バリエーション１）
照明装置の短手方向の幅寸法が照明装置１の短手方向Ｙの幅寸法の０．６〜０．７倍であってもよく、具体的には１５０ｍｍの幅寸法を採用することができる。この際、天井等の造営部９に対する照明装置の斜面部の角度は、２３０ｍｍの幅寸法の照明装置１の角度よりも大きくなる。
【００２６】
（バリエーション２）
照明装置は、灯具から照射する光を反射させる構成を備えていないトラフタイプの器具が組み合わせてもよい。
【００２７】
（バリエーション３）
直付けタイプの照明装置の別の例として、器具の斜面部が灯具収容部２００の下端部から下方に向かって広がるように形成された反射笠タイプの器具を組み合せたものであってもよい。
【００２８】
（バリエーション４）
照明装置は、天井面等の造営部に形成された取付孔に埋め込まれて取り付けられる埋込タイプの器具を備えたものであってもよい。照明装置の短手方向Ｙにおける幅寸法は、例えば１００ｍｍ〜１５０ｍｍ程度の寸法を採用することができる。
【００２９】
（バリエーション５）
埋込タイプの照明装置は、Ｃチャンネル回避型の器具を備えたものであってもよい。取付孔に埋め込まれる器具の高さが低く抑えられており、照明装置の短手方向Ｙにおける幅寸法は、例えば、２２０ｍｍ程度の寸法を採用することができる。
【００３０】
灯具収容部２００には、器具側連結部であるバネ２２、器具配線具２４である器具電源線２４０、端子台２４３等が配置される。詳しくは、器具底面部２０１に、２つのバネ２２、及び、端子台２４３が取り付けられている。バネ２２は、後述する灯具３が備えるバネ係合具３６に対応する位置に配置される。端子台２４３は、電源端子台である。あるいは、端子台２４３は信号端子台である。端子台２４３は、電源端子台と信号端子台を一体に構成したものであってもよい。
【００３１】
＜バネ２２（器具側連結部）＞
図４、図５及び図６を用いて器具側連結部であるバネ２２の構成について説明する。
図４は、器具２の要部を示す部分拡大斜視図でありバネ２２の取り付けと説明する図である。図５は、バネ２２の斜視図である。図６は、バネ２２の正面図である。
【００３２】
バネ２２は、連結装置１０を構成する器具側連結部であり、灯具側連結部であるバネ係合具３６と係り合う（係合する）ことによって灯具３を器具２に連結する。すなわち、バネ２２は、灯具３のバネ係合具３６とともに、照明装置１の連結装置１０を構成する。バネ２２は、例えば、バネ鋼、ステンレス鋼等の弾性材料を用いて形成される。
【００３３】
図４に示すように、バネ２２は、器具２の長手方向Ｘにおける端部側に配置される。バネ２２は、器具係合部２０８に嵌めこまれ、ネジ２５を用いて器具底面部２０１に固定される。バネ２２は、後述する灯具３が備えるバネ係合具３６に対応する位置に配置される。つまり、バネ２２は、後述する灯具３が備えるバネ係合具３６に対応して、器具２の長手方向Ｘにおける一方の端部側に配置されてもよいし、長手方向Ｘにおける両方の端部側に配置されてもよい。
【００３４】
図５及び図６に示すように、バネ２２は長手形状であり、幅寸法が全体にわたって略同じ寸法である板バネである。
【００３５】
バネ２２は、固定部２２０、弾性変形部２２４、及び、先端部２３３（Ｋ）とから構成される。弾性変形部２２４は、円弧形状部である。
【００３６】
固定部２２０は、第１平坦部２２１（Ｌ１）とバネ係止片２２３とによって構成される。第１平坦部２２１（Ｌ１）は、器具底面部２０１に固定される。第１平坦部２２１（Ｌ１）の中央部には貫通孔２２２が形成される。貫通孔２２２は、バネ２２を器具底面部２０１に固定するためのネジ２５を挿通させるネジ孔である。バネ係止片２２３は器具底面部２０１に設けられたバネ係止部と係合して、バネ２２の固定を補助する。
【００３７】
弾性変形部２２４（円弧形状部）は、第１曲げ部２２５（Ｍ１）、第２平坦部２２６（Ｌ２）、第２曲げ部２２７（Ｍ２）、第３平坦部２２８（Ｌ３）、第３曲げ部２２９（Ｍ３）、第４平坦部２３０（Ｌ４）、第４曲げ部２３１（Ｍ４）、及び、円弧部２３２（Ｅ）によって構成される。
【００３８】
先端部２３３（Ｋ）は、円弧部２３２（Ｅ）の端部が屈曲された屈曲部である。
【００３９】
バネ２２の各部について説明する。
（１）第１平坦部２２１（Ｌ１）は、長手形状の一方の端部側に形成されており、バネ２２の長手形状の一方の端部から他方の端部に向かう。第１平坦部２２１（Ｌ１）は、一方の端部を器具底面部２０１の長手方向Ｘにおける中央側に向けた状態で、ネジ２５を用いて器具底面部２０１に固定される。
（２）第１曲げ部２２５（Ｍ１）は、第１平坦部２２１（Ｌ１）の終わりに、第１曲げ半径Ｒ１で形成される。
（３）第２平坦部２２６（Ｌ２）は、第１曲げ半径Ｒ１で第１角度θ１に曲げられて第１平坦部２２１（Ｌ１）から立ち上がる。第２平坦部２２６（Ｌ２）は、バネ２２が灯具３を引っ張る弾性作用時の可動の軸になる。
（４）第２曲げ部２２７（Ｍ２）は、第２平坦部２２６（Ｌ２）の終わりに、第１曲げ半径Ｒ１と反対向きに第２曲げ半径Ｒ２で形成される。
（５）第３平坦部２２８（Ｌ３）は、第２曲げ半径Ｒ２で鋭角の第２角度θ２に曲げられて延びる。
（６）第３曲げ部２２９（Ｍ３）は、第３平坦部２２８（Ｌ３）の終わりに、第２曲げ半径Ｒ２と反対向きに第３曲げ半径Ｒ３で形成される。第３曲げ部２２９（Ｍ３）は、灯具３が器具２に装着完了となる直前にバネ係合具３６の連結主部３６０に当たることで、円弧部２３２（Ｅ）の摺動を制御する。
（７）第４平坦部（２３０）Ｌ４は、第３曲げ半径Ｒ３で鋭角の第３角度θ３に曲げられて延びる。
（８）第４曲げ部２３１（Ｍ４）は、第４平坦部（２３０）Ｌ４の終わりに、第３曲げ半径Ｒ３と反対向きに第４曲げ半径Ｒ４で形成される。
（９）円弧部２３２（Ｅ）は、第４曲げ半径Ｒ４で鈍角の第４角度θ４に曲げられて第１平坦部２２１（Ｌ１）の向かう長手方向に延びると共に第２平坦部２２６（Ｌ２）の立ち上がる方向に凸となる円弧形状の部分である。円弧部２３２（Ｅ）は、バネ係合具３６の上縁部３６１０と当接して摺動する摺動部である。
（１０）先端部２３３（Ｋ）は、円弧部２３２（Ｅ）の端部が屈曲されたものであり、バネ係合具３６の上縁部３６１０に引っ掛けられる。
【００４０】
なお、バネ２２は、器具２の形状又は寸法に応じて設置される数を変更することができる。例えば、器具２の長手方向Ｘの長さ寸法が小さい（長さが短い）場合には、長手方向Ｘの一端部のみに１個のバネ２２を設置し、他端部はフック等で固定する機構としてもよい。
【００４１】
また、器具２の長手方向Ｘにおける端部以外に設置することができる。例えば、器具２の長手方向Ｘの長さ寸法が大きい（長さが長い）場合には、長手方向の両端部と中央部に３個以上のバネ２２を設置してもよい。中央部にバネ２２を設置する場合は、バネ２２及びバネ２２に対応して灯具３が備えるバネ係合具３６が、灯具３に取り付けられる点灯装置３５と干渉しない位置を選択する。
【００４２】
＜器具配線具２４＞
器具２の灯具収容部２００には、器具電源線２４０と端子台２４３を含む器具配線具２４、及び電源電線（図示省略）等が配設される。灯具収容部２００は配線空間としての機能を有する。
【００４３】
端子台２４３は、ネジ２５を用いて器具底面部２０１に固定される。端子台２４３には、後述する灯具３の点灯装置３５への電力供給経路となる器具電源線２４０が接続される。本実施の形態では、器具電源線２４０の先端部に器具電源線コネクタ２４１が設けられている。器具電源線コネクタ２４１は、後述する灯具３の点灯装置３５に接続される灯具電源線４０１の先端部に設けられた灯具電源線コネクタ４０２と接続されることによって点灯装置３５への電力供給経路となる。
【００４４】
また、端子台２４３には、点灯装置３５に接続され、点灯装置３５から出力される点灯電力を調整する制御信号の伝達経路となる器具制御線（図示せず）が接続されてもよい。この場合、端子台２４３は、器具電源線２４０が接続される端子と器具制御線（図示せず）が接続される端子とを別々に備えてもよい。
【００４５】
そして、端子台２４３には、外部電源（図示省略）に接続され、外部電源からの電力供給経路となる電源電線（図示省略）が接続される。
【００４６】
さらに、端子台２４３には照明装置１を長手方向に連結した場合には、隣接する照明装置に電力あるいは制御信号を送るための送り電線が接続される。この場合、灯具収容部２００内には、電源電線と送り電線とが配設される。
【００４７】
＜灯具３の構成＞
図１、図２、図３、図７、図８、図９及び図１０を用いて灯具３の構成について説明する。図７は灯具３を示す斜視図である。図８は灯具３の主要な構成を分解した分解斜視図である。図９はバネ係合具３６を示す斜視図であり、図９の（ａ）は下面側からの斜視図、図９の（ｂ）は上面側からの斜視図である。図１０の（ａ），（ｂ），（ｃ）は台座３１に対するバネ係合具３６（灯具側連結具）の取り付けを説明する図であり、図１０の（ｄ）は台座３１にバネ係合具３６が固定された状態を示す図である。
【００４８】
図１、図２、及び、図３に示すように、灯具３は長尺状の器具２に取り付けられる。灯具３は、器具２に配置された器具側連結部であるバネ２２と連結される光源側連結部であるバネ係合具３６を備える。バネ係合具３６は、バネ２２の弾性力によって器具２の方向に引っ張られるとともに、器具２の短手方向Ｙに対する位置を決める。また、バネ係合具３６は、器具２に対する器具２の長手方向Ｘまわりの取り付け角度を決める。
【００４９】
図７及び図８に示すように、灯具３は、台座３１、発光部３０、カバー３３、点灯装置３５、灯具配線具４０、及び、バネ係合具３６を有する。
【００５０】
＜台座３１（支持部）＞
台座３１は、長尺状の平板である台座主部３１０と、台座主部３１０の短手方向Ｙにおける両端が折り曲げられて形成された、長手方向Ｘに延びる側壁である一対の台座側部３２２とを有する。台座３１は、短手方向Ｙに沿った断面形状が略コの字状に形成され、長手方向Ｘに延設している。
【００５１】
台座主部３１０の一面側は、バネ係合具３６が取り付けられる取付面部３１１である。台座主部３１０の他面側は、発光部３０が取り付けられる載置面部３１２である。本実施の形態では、取付面部３１１には、２個のバネ係合具３６、点灯装置３５、灯具配線具４０等が取り付けられる。台座主部３１０は、発光部３０、バネ係合具３６、点灯装置３５、灯具配線具４０等を灯具３に配置するための支持部、あるいは、灯具３を器具２に取り付けるための支持部として機能する。
【００５２】
取付面部３１１は、灯具３が器具２に取り付けられた状態で器具２の側を向く（上向きＺ１）。また、載置面部３１２は、灯具３が器具２に取り付けられた状態で照射空間の側を向く（下向きＺ２）。
【００５３】
台座側部３２２の台座主部３１０と反対側の先端部には、カバー係合部３３７と係合する台座係合部３２４（カール部）が形成されている。
【００５４】
図８及び図９に示すように、台座主部３１０は、短手方向Ｙにおける中央領域に、一面側に突出させてブリッジ状に切り起こされて形成された第１突出部３１５を有する。第１突出部３１５は、灯具側連結部であるバネ係合具３６が配置される位置に形成される。
【００５５】
本実施の形態では、第１突出部３１５は、短手方向Ｙにおける両端側は台座主部３１０と接続しており、短手方向Ｙにおける中央領域は取付面部３１１上を長手方向Ｘに挿通可能なブリッジ状となっている。第１突出部３１５は、後述するバネ係合具３６の第１係合部３６３が差し込み可能な幅寸法と高さ寸法で形成されており、長手方向Ｘにおける中央側の差込口３１５０から長手方向Ｘにおける端部側の突出口３１５１に向って第１係合部３６３が差し込まれる。
【００５６】
第１突出部３１５は、差込口３１５０から差し込まれる第１係合部３６３を案内する。第１突出部３１５に第１係合部３６３が差し込まれた状態で、第１突出部３１５は、長手方向Ｘと交わる向きである上向きＺ１へのバネ係合具３６の移動を規制する。つまり、第１突出部３１５は、取付面部３１１と交わる向きである上向きＺ１へのバネ係合具３６の移動を規制する。
【００５７】
また、図８及び図９に示すように、台座主部３１０は、短手方向Ｙにおける中央領域に、一面側に突出させて爪状に切り起こされて形成された第２突出部３１６を有する。第２突出部３１６は、第１突出部３１５よりも長手方向Ｘにおける中央側に近接して形成されており、すなわち、第１突出部３１５の差込口３１５０に近接して形成される。第２突出部３１６は、第１突出部３１５と同様に、灯具側連結部であるバネ係合具３６が配置される位置に形成される。
【００５８】
本実施の形態では、第２突出部３１６は、長手方向Ｘにおける中央側は台座主部３１０と接続しており、長手方向Ｘにおける端部側に向かって切り起こされた爪状となっている。本実施の形態では、第２突出部３１６を爪部３１６ともいう。第２突出部３１６は、爪先端部３１７の高さ寸法が、第１突出部３１５の高さ寸法よりも小さくなるように切り起こされる。第２突出部３１６は、好ましくは、爪先端部３１７の高さ寸法が、後述するバネ係合具３６の第１係止端部３７０の高さ寸法より小さくなるように切り起こされる。第１突出部３１５に第１係合部３６３の所定長が差し込まれた状態で、爪先端部３１７はバネ係合具３６の第１係止端部３７０等と当接する。
【００５９】
第２突出部３１６は、第１突出部３１５に差し込まれる第１係合部３６３を案内する。第１突出部３１５に第１係合部３６３の所定長が差し込まれた状態で、第２突出部３１６は、長手方向Ｘにおける中向きＸ２へのバネ係合具３６の移動を規制する。つまり、第２突出部３１６は、取付面部３１１に沿う中向きＸ２へのバネ係合具３６の移動を規制する。第２突出部３１６は、第１突出部３１５に第１係合部３６３が所定長差し込まれた状態で、バネ係合具３６が台座主部３１０から外れないように、第１係止端部３７０等を係止する。
【００６０】
さらに、図８及び図９に示すように、台座主部３１０は、短手方向Ｙにおける両端側に、長手方向Ｘに沿って細長く形成された一対のスライド貫通孔３１９を有する。スライド貫通孔３１９は、短手方向Ｙにおいて、第１突出部３１５、及び、第２突出部３１６よりも外側に形成される。すなわち、スライド貫通孔３１９は、第１突出部３１５、あるいは第２突出部３１６と台座側部３２２との間に形成される。スライド貫通孔３１９は、第１突出部３１５、あるいは第２突出部３１６と同様に、灯具側連結部であるバネ係合具３６が配置される位置に形成される。
【００６１】
短手方向Ｙの寸法が大きい幅広部３２０と、短手方向Ｙの寸法が小さい幅狭部３２１とが、長手方向Ｘに沿って繋がって形成される。本実施の形態では、幅広部３２０は長手方向Ｘにおける中央側に、幅狭部３２１は長手方向Ｘにおける端部側に配置される。
【００６２】
幅広部３２０は、後述するバネ係合具３６のスライド片３８４を、台座主部３１０の取付面部３１１側から載置面部３１２側に向って挿入可能な形状及び寸法で形成される。
幅狭部３２１は、第１突出部３１５に第１係合部３６３が所定長差し込まれた状態で、載置面部３１２側に配置されたスライド片３８４を、抜去不可能な形状又は寸法で形成される。
【００６３】
幅広部３２０は、台座主部３１０に対するバネ係合具３６の取付位置の基準となる。詳しくは、幅広部３２０は、バネ係合具３６の長手方向Ｘへの移動を開始する起点を決める。
【００６４】
幅狭部３２１は、バネ係合具３６の移動とともに、スライド片３８４を短手方向Ｙにおける中央側、あるいは両端側へ、徐々に付勢するように形成される。本実施の形態では、幅狭部３２１は、長手方向Ｘにおける端部側に向って徐々に幅寸法が小さくなる（幅が狭くなる）ように形成される。第１突出部３１５に第１係合部３６３の所定長が差し込まれた状態で、幅狭部３２１はスライド片３８４を短手方向Ｙに沿って押圧しており、バネ係合具３６のガタツキを抑制する。
【００６５】
第１突出部３１５、第２突出部３１６、及び、スライド貫通孔３１９は、台座３１にバネ係合具３６を取り付ける場合に、バネ係合具３６を移動させる向きに対応させて配置される。
【００６６】
ここで、台座３１にバネ係合具３６を取り付ける場合に、バネ係合具３６を移動させる向きは、好ましくは、バネ係合具３６に加わる力の向きを考慮して決定する。本実施の形態では、バネ２２は、バネ係合具３６の連結主部３６０を第１面３６００の側から第２面３６０１の側に向って押圧する向きで、貫通孔３６１に挿入されて係合している。このため、灯具３が器具２に取り付けられている状態、灯具３を器具２に取り付ける工程、灯具３を器具２から取り外す工程のいずれにおいても、バネ係合具３６は長手方向Ｘに沿って端向きＸ１の力を受けている。このため、バネ係合具３６は、長手方向Ｘに沿って端向きＸ１に移動させながら台座３１に取り付けられる。つまり、本実施の形態では、バネ係合具３６を移動させる向きがバネ係合具３６が受ける力の向きに合うように、第１突出部３１５、第２突出部３１６、及び、スライド貫通孔３１９が配置されている。
【００６７】
この他、台座主部３１０には、点灯装置３５を固定するための点灯装置固定部３２５及び点灯装置係止部３２６、灯具電線４００の配置に用いられる電線配置具４０６を取り付けるための貫通孔、及び、灯具電線４００の固定に用いられる電線保持具４０７を取り付けるための切欠き部等が形成されている。
【００６８】
点灯装置固定部３２５は、絞り加工によって形成されている絞り加工部である。点灯装置係止部３２６は、切絞り加工によって形成されている切絞り加工部である。点灯装置固定部３２５の頂の平坦部には、点灯装置３５を固定するためネジ５０を挿通する貫通孔３２７が形成されている。
【００６９】
＜発光部３０＞
図８に示すように、発光部３０は、基板３００の実装面（おもて面）に複数の発光素子３０１が長手方向Ｘに沿って列状に実装されてなる。本実施の形態では、発光素子３０１としてＬＥＤ素子が用いられている。詳しくは、波長が４４０〜４８０〔ｎｍ〕の青色光を出射するＬＥＤチップ上に青色光を黄色光に波長変換する蛍光体を配してパッケージ化された面実装部品である疑似白色ＬＥＤ素子が用いられている。
【００７０】
発光部３０は、台座３１の載置面部３１２に取り付けられる。詳しくは、発光部３０は、載置面部３１２の基板配置領域に敷設される接着剤（図示省略）によって、基板３００の非実装面（うら面）を載置面部３１２に密着させて取り付けられる。
【００７１】
発光素子３０１から出射する光は、発光面に垂直な軸に対して対称に照射角αだけ広がる。本実施の形態では、照射角αは、例えば１２０度である。
【００７２】
ここで、発光素子３０１の数、種類、配置される位置は照明装置１又は灯具３の用途に応じて決定されるものであって、発光素子３０１の数、種類、配置される位置は限定されない。例えば、発光素子３０１であるＬＥＤはパッケージ化された面実装部品以外の砲弾型、ＣＯＢ等の態様であってもよい。
【００７３】
また、発光部３０は、ＬＥＤ素子以外の光源素子を用いたものであってもよく、例えば、有機エレクトロルミネッセンス（Ｏｒｇａｎｉｃ−Ｅｌｅｃｔｒｏｌｕｍｉｎｅｓｃｅｎｃｅ；以下、有機ＥＬと称する）、レーザダイオード（ＬＤ）等の固体発光素子を使用することもできる。詳しくは、長手方向の長さが基板３００又は台座３１の長手方向の長さと略等しい、長尺の有機ＥＬ素子１つを発光素子３０１として用い、有機ＥＬ素子の長手方向と基板３００又は台座３１の長手方向が並行になるように配置してもよい。
【００７４】
＜カバー３３＞
図７及び図８に示すように、カバー３３は、発光素子３０１を覆って長手方向に延びる主カバー部３３０、及び主カバー部３３０の長手方向Ｘの両端部に取り付けられる端部カバー３４０を有する。
【００７５】
主カバー部３３０は、発光素子３０１の発光部と対向するカバー主部３３２とカバー主部３３２の短手方向Ｙの両端部と繋がるカバー側部３３３とからなる透光部３３１を有する。主カバー部３３０は、台座３１の短手方向Ｙの端部に形成されている台座側部３２２を覆うように台座３１に取り付けられる取付部３３６を有する。透光部３３１と取付部３３６とは一体的に形成されている。
【００７６】
カバー３３は、台座３１に取り付けられた発光部３０を覆うように台座３１に取り付けられる。詳しくは、カバー３３は、取付部３３６の上端部に設けられたカバー係合部３３７が、台座側部３２２の先端に設けられた台座係合部３２４と係り合うことによって台座３１に係合され、取付部３３６の内端部に設けられたカバー支持部３３８が、台座３１の基板配置領域以外の領域に支持される。
【００７７】
カバー３３は、樹脂材料を用いて押出成形等の方法で製造される。カバー３３は、全体が透光性の樹脂材料を用いて形成されてもよいし、一部が遮光性の樹脂材料を用いて形成されてもよい。
【００７８】
＜点灯装置３５＞
図７及び図８に示すように、点灯装置３５は、台座主部３１０の取付面部３１１に取り付けられている。図８に示すように、台座３１には、絞り加工が施された点灯装置固定部３２５と切り絞り加工が施された点灯装置係止部３２６とが形成されている。点灯装置３５は、電源ケース３５１の長手方向Ｘの一方の端部が点灯装置係止部３２６に引掛けられ、他方の端部がネジ２５を用いて点灯装置固定部３２５に固定されることによって台座３１に取り付けられる。
【００７９】
点灯装置３５は、電源ケース３５１に収容された電源ユニット３５０を有し、端子台を介して供給される商用電源等の外部電源からの電力を受電し、発光素子３０１を点灯させるための点灯電力に変換し発光部３０に供給する。
【００８０】
＜灯具配線具４０＞
図７及び図８に示すように、台座主部３１０の取付面部３１１には、器具電源線２４０と接続されることによって電源ユニット３５０への電力供給経路となる灯具電源線４０１、及び電源ユニット３５０から発光部３０への点灯電力供給経路となる給電線４０３、及び、給電線４０３に接続された給電線コネクタ４０４が配置される。また、台座主部３１０の取付面部３１１に灯具電源線４０１あるいは給電線４０３を配置するために電線配置具４０６が、給電線を台座主部３１０の長手端部３１３に固定するために電線保持具４０７が配置される。
【００８１】
＜バネ係合具３６（灯具側連結部）＞
バネ係合具３６は、連結装置１０を構成する器具側連結部であり、器具側連結部であるバネ２２と係り合う（係合する）ことによって灯具３を器具２に連結する。すなわち、バネ係合具３６は、器具２のバネ２２とともに、照明装置１の連結装置１０を構成する。バネ係合具３６は、例えば、鉄、アルミニウム等の金属材料を用いて形成される。
【００８２】
図７及び図８に示すように、バネ係合具３６は、灯具３の長手方向Ｘにおける端部側に配置される。バネ係合具３６は、器具２が備えるバネ２２に対応する位置に配置される。つまり、バネ係合具３６は、器具２が備えるバネ２２に対応して、灯具３の長手方向Ｘにおける一方の端部側に配置されてもよいし、長手方向Ｘにおける両方の端部側に配置されてもよい。
【００８３】
本実施の形態では、バネ係合具３６は、ネジ等の固定具を用いることなく台座主部に固定される。
以下、図９及び図１０により、バネ係合具３６の構成とバネ係合具３６の固定方法について、説明する。
【００８４】
図９はバネ係合具３６を示す斜視図である。図９の（ａ）は下面側からの斜視図である。図９の（ｂ）は上面側からの斜視図であり、台座３１との関係を説明する図である。図１０の（ａ），（ｂ），（ｃ）は台座３１に対するバネ係合具３６（灯具側連結具）の取り付けを説明する図であり、図１０の（ｄ）は台座３１にバネ係合具３６が固定された状態を示す図である。
【００８５】
図９に示すように、本実施の形態では、バネ係合具３６は板金を折り曲げて形成されており、灯具３が器具２に取り付けられる向きに立設する連結主部３６０を有する。連結主部３６０には、バネ２２が挿通する貫通孔３６１が形成されている。
【００８６】
また、バネ係合具３６は、連結主部３６０における灯具３が器具２に取り付けられる向きの側の端部から、灯具３が器具２に取り付けられる向きに延設された上端部３８０を有する。
また、バネ係合具３６は、連結主部３６０の上端部３８０が設けられた端部とは反対側の端部（主部下端部）から連結主部３６０の灯具３が器具２に取り付けられる向きと直交する向きに屈曲して形成された連結底面部３６２を有する。
連結底面部３６２は、露出面３６２０と密着面３６２１とを有する。
露出面３６２０は、バネ係合具３６が台座３１に固定されている状態で、上向きＺ１に露出する表面である。
密着面３６２１は、バネ係合具３６が台座３１に固定されている状態で、台座３１の取付面部３１１に密着する裏面である。
連結底面部３６２には、バネ係合具３６と台座３１に取り付けるために用いられる第１係合部３６３と第２係合部３６９が形成されている。
第１係合部３６３は、第１係合片３６５と第２係合片３６６とを有する。
第１係合片３６５と第２係合片３６６とは、連結底面部３６２をコの字状に切い欠いて形成した１対の角状の舌片である。
【００８７】
バネ係合具３６の連結主部３６０と連結底面部３６２とは略Ｌ形状をなしている。
【００８８】
バネ係合具３６は、連結主部３６０の両側端部から、連結主部３６０の灯具３が器具２に取り付けられる向きと直交する向きに屈曲して形成された一対の連結側部３８１を有する。本実施の形態では、連結側部３８１と連結底面部３６２とは第２面３６０１を内側にして同じ向きに屈曲されており、一対の連結側部３８１は連結底面部３６２の外側に対向して並設されている。
【００８９】
バネ係合具３６は、連結側部３８１における灯具３が器具２に取り付けられる向きと反対側の端部（側部下端部）から、第１面３６００を内側にして、外側に向って屈曲して形成された側部底面部３８２を有する。本実施の形態では、側部底面部３８２は連結底面部３６２と同一平面状に形成される。
【００９０】
バネ係合具３６は、側部底面部３８２の連結側部３８１とは反対側の端部（側端部）に設けられた取付機能部３８３を有する。取付機能部３８３は、台座主部３１０に形成されたスライド貫通孔３１９に挿入されてスライドするスライド片３８４、台座側部３２２とによってカバー係合部３３７を挟持するカバー保持片３８５、及び、台座係合部３２４に係合する台座係止片３８６等を備える。
スライド片３８４は、バネ係合具３６の下端部である。
側部底面部３８２とスライド片３８４とは、上下方向Ｚに台座主部３１０の厚さと同じ距離だけ離れている。
【００９１】
連結主部３６０に形成される貫通孔３６１は、バネ２２が挿入されるバネ挿入孔である。
【００９２】
連結主部３６０に形成される貫通孔３６１は、バネ２２が挿入されるバネ挿入孔である。
貫通孔３６１にバネ２２が挿入され貫通孔３６１とバネ２２とが係り合う（係合する）ことによって、バネ係合具３６はバネ２２と連結する。
【００９３】
本実施の形態では、施工性を向上させるために、貫通孔３６１は台形の形状をなしており、上縁部３６１０の幅寸法は下縁部３６１１の幅寸法よりも小さく、下縁部３６１１から上縁部３６１０に向って徐々に窄まるように形成されている。
【００９４】
貫通孔３６１の上縁部３６１０の幅寸法はバネ２２の幅寸法に対応した寸法としており、貫通孔３６１は、バネ２２が当接する上縁部３６１０の幅方向の両端でバネ２２を拘束する。上縁部３６１０の幅方向の両端とは、側縁部３６１２のうち、上縁部３６１０の両端と交わる角部である。
【００９５】
バネ係合具３６が台座３１に取り付けられた状態では、上縁部３６１０及び下縁部３６１１は、取付面部３１１に沿っており、灯具３を器具２に取り付けたり取り外したりする方向である上下方向Ｚと直交する。また、図示は省略するが、灯具３が器具２に取り付けられた状態では、上縁部３６１０及び下縁部３６１１は、板状のバネ２２の面に沿っている。
【００９６】
貫通孔３６１の形状は、種々の変形が可能である。具体的には、上縁部３６１０と下縁部３６１１とを繋ぐ両側の側縁部３６１２は直線状に形成されてもよいが、これに限らず曲線状に形成されてもよいし、直線状の部分と曲線状の部分とを組み合せて形成されてもよい。この際、両側の側縁部３６１２は、灯具３を器具２に取り付けたり取り外したりする方向である上下方向Ｚに沿った貫通孔３６１の中心線に対して対称の形状であることが好ましい。
【００９７】
上端部３８０は、灯具３が器具２に取り付けられている状態で、灯具収容部２００の底となる器具底面部２０１に当接する。
【００９８】
図９に示すように、バネ係合具３６は、台座主部３１０の一面側にブリッジ状に形成された第１突出部３１５に第１係合部３６３が差し込まれることによって台座３１に取り付けられる。すなわち、バネ係合具３６は、台座主部３１０の第１突出部３１５が形成された位置に配置される。
【００９９】
バネ係合具３６は、連結底面部３６２に、台座主部３１０の第１突出部３１５に差し込まれる第１係合部３６３が形成されている。
【０１００】
第１係合部３６３は、台座主部３１０の第１突出部３１５に差し込み可能な幅寸法と高さ寸法で形成される。具体的には、第１突出部３１５の差込口３１５０及び突出口３１５１の幅寸法以下の幅寸法であり、第１突出部３１５の差込口３１５０及び突出口３１５１の高さ寸法以下で形成される。
【０１０１】
第１係合部３６３の第１係合片３６５と第２係合片３６６は、第１突出部３１５の差込口３１５０に差し込み易くするために、両側端部の先端部がテーパ加工されている。
【０１０２】
第１係合部３６３は、中央部に、コの字状に切り欠かれた切欠き部３６８が形成されている。切欠き部３６８は、発光部３０を台座３１に取り付けるために台座３１の基板配置領域に敷設された接着剤が、第１係合部３６３に付着しないようにするために設けられている。このため、切欠き部３６８の幅寸法（短手方向Ｙの寸法）は、接着剤が敷設される基板配置領域の幅寸法（短手方向Ｙの寸法）よりも大きい方が好ましい。
【０１０３】
第１係合部３６３は、第１突出部３１５に案内されながら差込口３１５０から差し込まれる。第１突出部３１５に第１係合部３６３が差し込まれた状態で、バネ係合具３６は、第１突出部３１５によって、長手方向Ｘと交わる向きである上向きＺ１への移動が規制され。つまり、バネ係合具３６は、第１突出部３１５によって、取付面部３１１と交わる向きである上向きＺ１へのバネ係合具３６の移動が規制される。
【０１０４】
第１係合部３６３の、第１突出部３１５に差し込まれる部分には、灯具３が器具２に取り付けられる向きに突出させた隆起部３６７が形成されている。本実施の形態において、隆起部３６７はエンボス加工によって形成されたエンボス加工部であり、連結底面部３６２から上向きＺ１の方向に半球状あるいはドーム状に突出した突出部（第３突出部）である。隆起部３６７は、第１突出部３１５に第１係合部３６３の所定長が差し込まれた状態で、第１突出部３１５と重なる位置に形成される。隆起部３６７は、第１突出部３１５に第１係合部３６３の所定長が差し込まれた状態で、第１突出部３１５を押圧可能な高さ寸法で形成される。図１０の（ｄ）に示すように、隆起部３６７は、第１突出部３１５に第１係合部３６３の所定長が差し込まれた状態で、第１突出部３１５を長手方向Ｘと交わる向きである上向きＺ１へ押圧する。したがって、第１係合部３６３は下向きＺ２へ押圧され、バネ係合具３６の密着面３６２１が台座３１の表面に密着して固定される。
【０１０５】
バネ係合具３６は、第１係合部３６３の先端部と反対側である基端部３２３に形成された第２係合部３６９を有する。図９に示すように、本実施の形態では、連結主部３６０と連結底面部３６２との屈曲部分の、短手方向Ｙにおける中央部が切りかかれて第２係合部３６９が形成されており、連結底面部３６２側の切欠き端部が第１係止端部３７０となっている。
【０１０６】
第１係止端部３７０は、バネ係合具３６が台座３１に取り付けられた状態、すなわち、第１突出部３１５に第１係合部３６３の所定長が差し込まれた状態で、第２突出部３１６の爪先端部３１７と当接する。このため、バネ係合具３６は、第１突出部３１５に第１係合部３６３の所定長が差し込まれた状態で、長手方向Ｘにおける中向きＸ２への移動が規制される。つまり、第１突出部３１５に第１係合部３６３が所定長差し込まれた状態で、第１係止端部３７０が第２突出部３１６に係止されるため、バネ係合具３６は台座主部３１０から外れない。
【０１０７】
図１０の（ｂ）に示すように、取付機能部３８３に形成された一対のスライド片３８４は、台座主部３１０に形成された一対のスライド貫通孔３１９の幅広部３２０に挿入されることによってバネ係合具３６の長手方向Ｘへの移動を開始する起点を決める。
【０１０８】
そして、図１０の（ｃ）のように、載置面部３１２側に配置されたスライド片３８４は、第１突出部３１５に第１係合部３６３が所定長差し込まれた状態で、幅狭部３２１に引っ掛かり、長手方向Ｘに直交する向きである上向きへは抜去不可能となる。
【０１０９】
スライド片３８４は、バネ係合具３６の移動とともに幅狭部３２１に移動する。このため、スライド片３８４は、短手方向Ｙにおける中央側、あるいは両端側へ、徐々に付勢される。本実施の形態では、幅狭部３２１は、長手方向Ｘにおける端部側に向って徐々に幅寸法が小さくなる（幅が狭くなる）ように形成されており、第１突出部３１５に第１係合部３６３の所定長が差し込まれた状態で、スライド片３８４は、幅狭部３２１によって短手方向Ｙに沿って押圧され、バネ係合具３６はガタツキが抑制される。
【０１１０】
台座３１にバネ係合具３６を取り付ける場合に、バネ係合具３６を移動させる向きは、好ましくは、バネ係合具３６に加わる力の向きを考慮して決定する。本実施の形態では、バネ２２は、バネ係合具３６の連結主部３６０を第１面３６００の側から第２面３６０１の側に向って押圧する向きで、貫通孔３６１に挿入されて係合している。このため、灯具３が器具２に取り付けられている状態、灯具３を器具２に取り付ける工程、灯具３を器具２から取り外す工程のいずれにおいても、バネ係合具３６は長手方向Ｘに沿って端向きＸ１の力を受けている。このため、バネ係合具３６は、長手方向Ｘに沿って端向きＸ１に移動させながら台座３１に取り付けられる。つまり、本実施の形態において、バネ係合具３６を移動させる向きは、バネ係合具３６が受ける力の向きに合わせている。
【０１１１】
なお、バネ係合具３６は、灯具３の形状又は寸法に応じて設置される数を変更することができる。例えば、灯具３の長手方向Ｘの長さ寸法が小さい（長さが短い）場合には、長手方向Ｘの一端部のみに１個のバネ２２を設置し、他端部はフック等で固定する機構としてもよい。
【０１１２】
また、バネ係合具３６は、灯具３の長手方向Ｘにおける端部以外に設置することができる。例えば、灯具３の長手方向Ｘの長さ寸法が大きい（長さが長い）場合には、長手方向Ｘの両端部と中央部に３個以上のバネ係合具３６を設置してもよい。中央部にバネ係合具３６を設置する場合は、バネ係合具３６及びバネ係合具３６に対応して器具２が備えるバネ２２が、灯具３に取り付けられる点灯装置３５及び灯具配線具４０と干渉しない位置を選択する。
【０１１３】
＜灯具３の取り付け作業＞
次に、作業者が、天井、壁等の造営部９に予め取り付けられた器具２に対して、灯具３を取り付ける作業を説明する。器具２の造営部９への取り付けは、天井から吊り下げられている吊ボルトに固定する方法、ネジ等の固定具により直接天井等の造営部に固定する方法等がある。
（１）まず、作業者は、バネ２２の円弧部２３２（Ｅ）の曲率が大きくなるように、バネ２２を弾性変形させた状態で灯具３の先端部２３３（Ｋ）をバネ係合具３６に連結する。詳しくは、バネ２２が、第２平坦部２２６（Ｌ２）を回転の中心として、円弧部２３２（Ｅ）が器具底面部２０１に対して略垂直状態になるように弾性変形した状態で、作業者は、両方のバネ係合具３６に対して、第１面３６００の側から貫通孔３６１にバネ２２の先端部２３３（Ｋ）からバネ２２をくぐらせる。そして、作業者は、バネ２２の先端部２３３（Ｋ）を、バネ係合具３６の貫通孔３６１の上縁部３６１０に引っ掛けて、灯具３を器具２に吊り下げる。この状態は灯具３の仮取付の状態である。２つのバネ２２は、器具２の両端部分に配置されており、灯具３は２つのバネ２２で器具２に対して略平行な状態で姿勢を維持して吊り下げられる。
（２）次に、作業者が、カバー側部３３３をつかんで灯具３を取付側（上向きＺ１）に持ち上げると、バネ２２の円弧部２３２（Ｅ）の裏面２３２ａ（Ｅａ）が、貫通孔３６１の上縁部３６１０に対して、バネの復元力によって摺動する。このバネ２２の円弧部２３２（Ｅ）の摺動作用は、作業者が灯具３を取付側（上向きＺ１）に持ち上げると、バネ２２が自ら元の形状に戻ろうとすることによるが、作業者がバネ２２を気にすることなく、バネ２２はバネ係合具３６に対して摺動しながら元の形状に戻る。
（３）さらに、作業者が、器具２の灯具収容部２００に灯具３を押し上げると、バネ係合具３６の上端部３８０が灯具収容部２００の器具底面部２０１に当接する。このときバネ２２は、器具２への灯具３の装着が完了する直前では円弧部２３２（Ｅ）の摺動が抑制される。そして、器具２への灯具３の装着が完了すると、バネ２２の円弧部２３２（Ｅ）が、バネ係合具３６の貫通孔３６１の上縁部３６１０と押し合う状態で、貫通孔３６１の上縁部３６１０に対して位置決めされる。
このとき、バネ２２が内側箇所で上縁部３６１０を支持する際のバネ定数は、先端部２３３（Ｋ）で灯具３を支持する際のバネ定数に対してはるかに大きい。これは、バネ２２では第１平坦部２２１（Ｌ１）が器具２に固定されるので、第１平坦部２２１（Ｌ１）を固定端とする片持ち梁として大まかに見積もることができる。バネ２２では、ほとんど弾性変形しない第１曲げ部２２５（Ｍ１）と第４曲げ部２３１（Ｍ４）との直線距離（スパン）は、第１曲げ部２２５（Ｍ１）と先端部２３３との距離（スパン）の、例えば１／５〜１／６程度である。片持ち梁ではスパンはバネ定数に３乗で影響する。すなわち、第４曲げ部２３１（Ｍ４）におけるバネ定数は、１／５であれば先端部２３３におけるバネ定数の１２５倍であり、１／６であれば先端部２３３におけるバネ定数の２１６倍である。このため、作業者が、器具２の灯具収容部２００への灯具３の押し上げ（押し込み）を完了すると、バネ２２の第４曲げ部２３１（Ｍ４）の内側箇所が、バネ係合具３６に形成された貫通孔３６１の上縁部３６１０を支持することができる。つまり、第４曲げ部２３１（Ｍ４）の内側箇所で、灯具３の自重を支えることができる。
【０１１４】
＜灯具３の取り外し作業＞
次に、灯具３を器具２から取り外す作業について説明する。灯具３を取り外す作業は、前述した取り付ける作業の逆の手順となる。
（１）まず、作業者は、灯具３が器具２に取り付けられた状態から、カバー側部３３３を掴んで、灯具３を略水平の状態のまま照射側（下向きＺ２）に引き下げる。
（２）次に、作業者は、灯具３を引き下げ、バネ２２の先端部２３３をバネ係合具３６の貫通孔３６１から外す。
（３）以上の手順で、作業者は、器具２から灯具３を取り外す。
【０１１５】
＜＜実施の形態１の固定機構及び固定方法の特徴＞＞
以下、実施の形態１の固定機構及び固定方法の特徴を説明する。
実施の形態１の固定機構は、灯具３を器具本体２０に取り付ける取付部品（灯具側連結部３６）を台座３１へ固定する固定機構である。
固定機構は、板状の台座３１と取付部品（灯具側連結部３６）とを固定する機構である。
灯具３は、板状の台座３１と取付部品（灯具側連結部３６）とを有する。
台座３１は、一面に第１突当部（第１突出部３１５）と第２突当部（第２突出部３１６）とを有する。
取付部品（灯具側連結部３６）は、第１係合部３６３と第２係合部３６９とを有する。
取付部品（灯具側連結部３６）は、第１係合部３６３と第１突当部（第１突出部３１５）とが係り合うことによって、一方向（端向きＸ１）に移動することを規制されている。
取付部品（灯具側連結部３６）は、第２係合部３６９と第２突当部（第２突出部３１６）とが係り合うことによって、一方向（端向きＸ１）と反対方向（中向きＸ２）に移動することを規制されている。
【０１１６】
また、取付部品（灯具側連結部３６）は、第１係合部３６３と第１突当部（第１突出部３１５）とが係り合うことによって、一方向（端向きＸ１）と交わる向き（短手方向Ｙ、上下方向Ｚ、斜め方向、回転方向を含む）に移動することを規制されている。
【０１１７】
また、取付部品（灯具側連結部３６）は、第１係合部３６３に隆起部３６７を有する。
取付部品（灯具側連結部３６）は、隆起部３６７と第１突当部（第１突出部３１５）とが係り合うことによって、一方向（端向きＸ１）と交わり台座３１の一面と交わる向き（上下方向Ｚ）に移動することを規制されている。
【０１１８】
また、台座３１は、第１突当部（第１突出部３１５）のサイドに、スライド貫通孔３１９を有する。
取付部品（灯具側連結部３６）は、第１係合部３６３のサイドに、取付機能部３８３を有する。
取付部品（灯具側連結部３６）は、スライド貫通孔３１９と取付機能部３８３とが係り合うことによって、一方向（端向きＸ１）と交わる向き（短手方向Ｙ、上下方向Ｚ、斜め方向、回転方向を含む）に移動することを規制されている。
【０１１９】
第２突当部（第２突出部３１６）は、一方向（端向きＸ１）に向かって形成された爪部３１６を有する。
第２係合部３６９は、一方向（端向きＸ１）と反対方向（中向きＸ２）に形成された係止端部（第１係止端部３７０）を有し、
爪部３１６の爪先端部３１７と第２係合部３６９の係止端部（第１係止端部３７０）とが係り合っている。
【０１２０】
＜＜実施の形態１の連結装置１０の特徴＞＞
以下、実施の形態１の連結装置１０の特徴を説明する。
連結装置１０は、灯具取付部（器具側連結部２２）と灯具側連結部３６とを有する。
灯具取付部（器具側連結部２２）は、器具本体２０に固定される。
灯具側連結部３６は、灯具取付部（器具側連結部２２）と対をなすように台座３１の一面の側に固定され、器具側連結部２２と連結される。
【０１２１】
灯具側連結部３６は、台座３１の一面の側に突出して形成された突出部に係合される係合部が、突出部に案内されながら一面に沿って移動するとともに突出部と係り合った状態で、一面の側に固定される。
【０１２２】
器具本体２０は、灯具取付部（器具側連結部２２）を有する灯具収容部２００を有する。
灯具３は、少なくとも一部が灯具収容部２００に収容された状態で器具本体２０に取り付けられる。
【０１２３】
灯具取付部（器具側連結部２２）と灯具側連結部３６とは、着脱自在に連結される。
【０１２４】
連結装置１０は、複数対の灯具取付部（器具側連結部２２）と灯具側連結部３６とを備えている。
台座３１は長手形状であり、複数対の灯具取付部（器具側連結部２２）と灯具側連結部３６とは、台座３１の長手方向に沿って、離隔して配置されている。
【０１２５】
＜＜実施の形態１の照明装置１の特徴＞＞
以下、実施の形態１の照明装置１の特徴を説明する。
本実施の形態の照明装置１は、台座３１を固定する器具本体２０を有する。
器具本体２０は、取付部品（灯具側連結部３６）に連結される灯具取付部（器具側連結部２２）を有する。
また、本実施の形態の照明装置１は、台座３１の一面の側が器具本体２０と対向した状態で器具本体２０に着脱自在に取り付けられる灯具３有する。
また、本実施の形態の照明装置１は、前述した連結装置１０を有する。
【０１２６】
台座３１には、一面（取付面部３１１）の側に突出した突出部が形成されるとともに、一面（取付面部３１１）の反対側である他面（載置面部３１２）の側に光源が配置される配置面が形成されている。
灯具側連結部３６には、突出部と係り合う係合部が形成されており、係合部は突出部に案内されながら一面（取付面部３１１）に沿って移動することによって突出部と係り合う。ここで、一面（取付面部３１１）に沿った移動には、縦方向（長手方向）、横方向（短手方向）、斜め方向、回転方向を含むものとする。
【０１２７】
具体的には、照明装置１は、台座３１の一面である取付面部３１１の側に突出した第１突出部３１５が形成されるとともに、第１突出部３１５と係り合う第１係合部３６３が形成されている。
第１係合部３６３は、第１突出部３１５に案内されながら一面である取付面部３１１に沿って移動することによって第１突出部３１５と係り合う。
【０１２８】
台座３１と灯具側連結部３６とは、ネジ等の他の固定部材あるいは専用の工程設備を要するカシメ等の方法を用いることなく、両者が係り合うこと（係合）によって相互に固定される。
【０１２９】
本実施の形態の照明装置１は、前述した固定機構と、台座３１の他面（載置面部３１２）に配置された発光部とを備え、第１突当部（第１突出部３１５）は、台座３１の発光部の配置領域内に形成されている。
具体的には、台座３１（支持部）の台座主部３１０は、取付面部３１１と、反対側の他面である載置面部３１２とを有し、載置面部３１２に、発光素子３０１（光源）を搭載した基板３００が配置される光源配置領域が形成されている。
本実施の形態の照明装置１は、台座３１（支持部）の載置面部３１２に光源が配置可能な光源配置領域が設けられており、突出部は台座３１の光源配置領域の上下方向Ｚの投影領域内に形成されている。台座３１に突出部（切り起こし等）を設けることによって台座３１に形成されてしまう貫通孔あるいは他面側の窪みを、光源が覆う（塞ぐ）構成である。光源は、発光素子が基板に実装される態様又は絶縁層あるいは電極層を形成した台座３１の他面に発行素子が直接実装される態様を含む。
【０１３０】
突出部は、係合部が係り合っている状態において、係合部が一面（取付面部３１１）に沿って移動する向き（端向きＸ１）と交わる向きに移動することを規制する第１突当部（第１突出部３１５）と、係合部が一面（取付面部３１１）に沿って移動する向きと反対の向きに移動することを規制する第２突当部（第２突出部３１６）とを備えている。
第１突当部（第１突出部３１５）は、灯具側連結具３６を装着する際にスライドされる向きを除いた向きへの灯具側連結具の移動を規制する。具体的には、灯具側連結具３６は器具側連結部２２（バネ）に引っ張られる向き（端向きＸ１）には外れない。また、灯具側連結具３６に対して灯具３の短手方向のガタツキが発生しない。
第２突当部（第２突出部３１６）は、灯具側連結具３６を装着する際にスライドされる向きと反対の向き（すなわち灯具側連結具３６が抜去される向き）への灯具側連結具３６の移動を規制する。具体的には、灯具側連結具３６が装着された状態では灯具側連結具３６が抜けたり脱落しない。
【０１３１】
係合部は、突出部に係り合っている状態において、係合部が一面（取付面部３１１）に沿って移動する向きと交わる向きに移動することを規制する第１係合部３６３と、係合部が台座３１の面に沿って移動する向きと反対の向きに移動することを規制する第２係合部３６９とを備えている。
【０１３２】
第１係合部３６３は、第１突当部（第１突出部３１５）と係り合うことによって、灯具側連結具３６が台座３１の一面（取付面部３１１）に沿って移動する向きと交わる向きに移動することを規制する。
【０１３３】
第２係合部３６９は、第２突当部（第２突出部３１６）と係り合うことによって、灯具側連結具３６が台座３１の一面（取付面部３１１）に沿って移動する向きと反対の向きに移動することを規制されている。
【０１３４】
台座３１は長手形状であり、突出部は、台座３１の長手方向における端部寄りに形成されている。突出部が形成される領域は、突出部が台座３１の長手方向の一方の端部のみに形成される場合を含む。
【０１３５】
また、突出部は、台座３１の長手方向に沿って、離隔して複数（２箇所以上）配置されている。突出部の長手方向における形成領域は特定されず、単に複数（２箇所以上）が離れて形成されていればよい。具体的には、突出部が長手方向の両端の２箇所に形成される標準尺仕様と長手方向の両端及びこれらに挟まれた１箇所の計３箇所に形成される長尺仕様の灯具（光源ユニット）を含む。
【０１３６】
また、台座３１は短尺形状でもよく、突出部が形成される領域は、突出部が短手方向の一方又は両方の端部に形成される短尺仕様の灯具３（光源ユニット）を含むものとする。
【０１３７】
＜＜実施の形態１の効果＞＞
この実施の形態に係る照明装置１は、バネ係合具３６を、ネジ等の固定具を用いることなく、また、専用の工具あるいは設備を必要とする部材どうしをかしめる方法を用いることなく、台座主部３１０に固定することができる。
【０１３８】
（変形例１）
図１１及び図１２を参照して実施の形態１の変形例１について説明する。
変形例１は、連結装置１０において、第２突出部３１６ａ（爪部３１６ａ）と第２係合部３６９ａの形状が変更されている。
第２突出部３１６ａ（爪部３１６ａ）は、短手方向Ｙにおける中央領域を凹状に後退させ、両端部領域に爪先端部３１７ａが形成され、中央領域に爪先端部３１７ａより後退した爪後退部３１８が形成される。
第２係合部３６９ａは、短手方向Ｙにおける中央領域を凸状に突出させ、両端領域に第１係止端部３７０ａが形成され、中央領域に第１係止端部３７０ａより突出した第１係止先端部３７１が形成される。第１係止端部３７０ａは、第１係止先端部３７１より後退した後退部である。
爪先端部３１７ａは第１係止端部３７０ａと、爪後退部３１８は第１係止先端部３７１とそれぞれ当接する。
これによって、バネ係合具３６は、台座３１の長手方向における中向きＸ２への移動が規制される。
第２突出部３１６ａは、第２突出部３１６ａの切り起こしの曲げ角度にバラツキが発生しても、複数個所（３箇所）の当接箇所のうち１箇所以上が当接する。また、第２突出部３１６ａの切り起こしの曲げ角度の管理精度を緩和してもよい。
【０１３９】
（変形例２）
図１３を参照して実施の形態１の変形例２について説明する。
変形例２は、第１係合部３６３ｂを１つに纏めた形状としている。
第１係合部３６３ｂは、１つの矩形状の係合片３６４を有する。
第１突出部３１５と係り合う面積が増えるためより安定な係合状態となる。
【０１４０】
実施の形態２．
図１４及び図１５を参照して実施の形態２を説明する。
本実施の形態では、前述した実施の形態と異なる点について説明する。
実施の形態２は、第２係合部３６９ｃを第１係合部３６３と一体に形成した実施形態である。
【０１４１】
第１突出部３１５は、第１係合部３６３を差し込む差込口３１５０と第１係合部３６３を突出させる突出口３１５１とを有する。
実施の形態２における第２突出部３１６は、突出口３１５１を有する。
突出口３１５１は、出口端面３１５２を有し、出口端面３１５２は、台座３１の表面と平行な上端面３１５３と、台座３１の表面と垂直な２個の側端面３１５４とを有する。
第２係合部３６９ｃは、連結底面部３６２ｃの第１係合部３６３に形成された係止片（第２係止片３７２と第３係止片３７５）を有する。
第２係止片３７２と第３係止片３７５は、Ｔ字状の切欠き部３６８により形成された角を斜めに起こした３角部分である。
第２係止片３７２は、第１係合片３６５の根本側の内側に形成された切り起こし部分である。
第３係止片３７５は、第２係合片３６６の根本側の内側に形成された切り起こし部分である。
第２係止片３７２と第３係止片３７５は、中向きＸ２側の切欠き端部に、第２係止端部３７４と第３係止端部３７６を有する。
第２係合部３６９ｃは、灯具側連結部３６が固定されている状態で、第１突出部３１５を通過して第１突出部３１５と重ならない位置に形成される。
第２係合部３６９ｃは、長手方向Ｘ（一面に沿う方向）において第１突出部３１５の突出口３１５１（第２突出部３１６）と係合する。
第２係止端部３７４と第３係止端部３７６は、第１突出部３１５の突出口３１５１の出口端面３１５２の上端面３１５３に当接した状態で係合する。
【０１４２】
＜実施の形態２の特徴＞
第１突当部は、第１係合部を差し込む差込口３１５０と第１係合部を突出させる突出口３１５１（第２突出部３１６）とを有する。
第２突当部は、突出口３１５１（第２突出部３１６）を有する。
第２係合部は、第１係合部に形成された係止片（第２係止片３７２と第３係止片３７５）を有する。
突出口３１５１（第２突出部３１６）の出口端面３１５２（上端面３１５３）と係止端部（第２係止端部３７４と第３係止端部３７６）とが係り合っている。
【０１４３】
＜実施の形態２の効果＞
突出口３１５１（第２突出部３１６）の出口端面３１５２（上端面３１５３）と係止片（第２係止片３７２と第３係止片３７５）の係止端部（第２係止端部３７４と第３係止端部３７６）とが係り合うことによって、バネ係合具３６は、台座３１の長手方向における中向きＸ２への移動が規制される。
【０１４４】
（変形例１）
図１６を参照して実施の形態２の変形例１について説明する。
変形例１は、第２係合部３６９ｄの形状が変更されている。
第２係合部３６９ｄは、連結底面部３６２ｄの第１係合部３６３ｄに形成された係止片（第２係止片３７２と第３係止片３７５）を有する。
第２係止片３７２ｄと第３係止片３７５ｄは、Ｔ字状の切欠き部３６８により形成された角に長手方向Ｘ（端向きＸ１）に切り込みを入れ、斜めに起こした４角部分である。
第２係止片３７２ｄは、第１係合片３６５の根本側の内側に形成され、中向きＸ２側を隆起させた切り起こし部分である。
第３係止片３７５ｄは、第２係合片３６６の根本側の内側に形成され、中向きＸ２側を隆起させた切り起こし部分である。
第２係止片３７２ｄと第３係止片３７５ｄは、中向きＸ２側の切欠き端部に、第２係止端部３７４ｄと第３係止端部３７６ｄを有する。
【０１４５】
突出口３１５１（第２突出部３１６）の出口端面３１５２（上端面３１５３）と係止片（第２係止片３７２ｄと第３係止片３７５ｄ）の係止端部（第２係止端部３７４ｄと第３係止端部３７６ｄ）とが係り合うことによって、バネ係合具３６は、台座３１の長手方向における中向きＸ２への移動が規制される。
【０１４６】
（変形例２）
図１７参照して実施の形態２の変形例２について説明する。
変形例２は、第１係合部３６３ｅを１つに纏めた形状としており、第２係合部３６９ｅを１つに纏めた形状としている。
第１係合部３６３ｅは、１つの矩形状の係合片３６４を有する。
第２係合部３６９ｅは、第１係合部３６３ｅに形成された係止片（第２係止片３７２ｅ）を有する。
第２係止片３７２ｅは、係合片３６４の中央部分にコの字状の切り込みを入れ、斜めに起こした４角部分である。
第２係止片３７２ｅは、中向きＸ２側を隆起させた切り起こし部分である。
第２係止片３７２ｅは、中向きＸ２側の切欠き端部に、第２係止端部３７４ｅを有する。
【０１４７】
突出口３１５１（第２突出部３１６）の出口端面３１５２（上端面３１５３）と係止片（第２係止片３７２ｅ）の係止端部（第２係止端部３７４ｅ）とが係り合うことによって、バネ係合具３６は、台座３１の長手方向における中向きＸ２への移動が規制される。
また、突出口３１５１（第２突出部３１６）との係合面積が増えるため係合強度（係合耐性）が向上する。
【０１４８】
（変形例３）
図１８及び図１９を参照して実施の形態２の変形例３について説明する。
変形例３は、第２係合部３６９ｆを短手方向Ｙにおける外側に突出させている。
第２係合部３６９ｆは、連結底面部３６２ｆの第１係合部３６３に形成された係止片（第４係止片３７７と第５係合片３７３）を有する。
第４係止片３７７と第５係合片３７３は、第１係合片３６５の根本側の外側に形成された張り出し部分である。
第４係止片３７７と第５係合片３７３は、第１係合片３６５の先端側から根本側に向けてテーパ部分を有する。
第４係止片３７７と第５係合片３７３は、中向きＸ２側の切欠き端部に、第４係止端部３７９と第５係止端部３７８を有する。
【０１４９】
突出口３１５１（第２突出部３１６）の出口端面３１５２（側端面３１５４）と係止片（第４係止片３７７と第５係合片３７３）の係止端部（第４係止端部３７９と第５係止端部３７８）とが係り合うことによって、バネ係合具３６は、台座３１の長手方向における中向きＸ２への移動が規制される。
スライド貫通孔３１９の幅狭部３２１の形状により、バネ係合具３６の短手方向と回転方向の移動規制がされるので、係合片の小型化が可能である。
第２係合部３６９ｆを折り曲げていないので、バネ係合具３６を取り付ける際に第２係合部３６９ｆが変形しにくい。
第２係合部３６９ｆは折り曲げていないので、バネ係合具３６の製造が容易であり製造コストを削減できる。
バネ係合具３６を台座３１に取り付ける際の作業負担が少ない。
【０１５０】
なお、この変形例３では、第２係止片３７２と第３係止片３７５とがある場合を説明したが、第２係止片３７２と第３係止片３７５とはなくてもよい。
【０１５１】
実施の形態３．
図２０及び図２１を参照して実施の形態３について説明する。
本実施の形態では、前述した実施の形態と異なる点について説明する。
実施の形態３は、スライド貫通孔３１９ｇが第１突当部となり、第２突出部３１６ｇ（爪部３１６ｇ）が第２突当部となる実施形態である。
【０１５２】
台座主部３１０ｇは、２個の第２突出部３１６ｇ（爪部３１６ｇ）を有する。
２個の第２突出部３１６ｇ（爪部３１６ｇ）は、短手方向Ｙに並んで形成されている。
２個の第２突出部３１６ｇ（爪部３１６ｇ）は、一方向（端向きＸ１）に向かって形成された爪先端部３１７ｇを有する。
【０１５３】
台座主部３１０ｇは、４個のスライド貫通孔３１９ｇ（スリット）を有する。
４個のスライド貫通孔３１９ｇ（スリット）は、２個の第２突出部３１６ｇ（爪部３１６ｇ）を囲む矩形の４か所の角に、長手方向Ｘと短手方向Ｙとに並んで、形成されている。
４個のスライド貫通孔３１９ｇ（スリット）には、幅広部３２０ｇ（挿入部）と幅狭部３２１ｇ（スライド部）が連続して形成され、幅広部３２０ｇ（挿入部）が中向きＸ２に形成され、幅狭部３２１ｇ（スライド部）が端向きＸ１に形成されている。
【０１５４】
灯具側連結部３６は、連結底面部３６２ｇに２個の第２係合部３６９ｇ（係合孔）を有する。
第２係合部３６９ｇ（係合孔）は、連結底面部３６２ｇに形成された矩形の貫通孔である。第２係合部３６９ｇ（係合孔）は、中向きＸ２に向かって形成された第１係止端部３７０ｇを有する。
【０１５５】
灯具側連結部３６は、２個の取付機能部３８３ｇを有する。
取付機能部３８３ｇは、台座主部３１０ｇに形成されたスライド貫通孔３１９に挿入されてスライドする個のスライド片３８４と、台座側部３２２とによってカバー係合部３３７を挟持するカバー保持片３８５を備える。
２個の取付機能部３８３ｇは、短手方向Ｙに並んで形成されている。
【０１５６】
図２１の（ｂ）に示すように、２個の取付機能部３８３ｇに形成された４個のスライド片３８４は、台座主部３１０ｇに形成された４個のスライド貫通孔３１９ｇの幅広部３２０ｇに挿入されることによってバネ係合具３６の長手方向Ｘへの移動を開始する起点を決める。
【０１５７】
そして、図２１の（ｃ）のように、載置面部３１２側に配置されたスライド片３８４は、幅狭部３２１に引っ掛かり、長手方向Ｘに直交する向きである上向きへは抜去不可能となる。
【０１５８】
スライド片３８４は、バネ係合具３６の移動とともに幅狭部３２１ｇに移動する。このため、スライド片３８４は、短手方向Ｙにおける中央側、あるいは両端側へ、徐々に付勢される。本実施の形態では、幅狭部３２１ｇは、長手方向Ｘにおける端部側に向って徐々に幅寸法が小さくなる（幅が狭くなる）ように形成されており、スライド片３８４は、幅狭部３２１によって短手方向Ｙに沿って押圧され、バネ係合具３６はガタツキが抑制される。
【０１５９】
スライド片３８４が幅狭部３２１ｇの先端に突き当たった状態で、爪先端部３１７ｇはバネ係合具３６の第１係止端部３７０ｇと当接する。
【０１６０】
＜実施の形態３の特徴＞
第１突当部は、台座３１を貫通したスライド貫通孔３１９ｇを有する。
第２係合部は、スライド貫通孔３１９ｇに取り付けられた取付機能部３８３ｇを有する。
第２突当部は、一方向（端向きＸ１）に向かって形成された爪部３１６ｇを有する。
第２係合部は、第２係合部３６９ｇ（係合孔）を有し、第２係合部３６９ｇ（係合孔）は、一方向（端向きＸ１）と反対方向（中向きＸ２）に形成された係止端部（第１係止端部３７０ｇ）を有する。
爪部３１６ｇの爪先端部３１７ｇと第２係合部３６９ｇ（係合孔）の係止端部（第１係止端部３７０ｇ）とが係り合っている。
【０１６１】
＜実施の形態３の効果＞
スライド片３８４が幅狭部３２１ｇの先端に突き当たった状態で、第２突出部３１６ｇは、長手方向Ｘにおける中向きＸ２へのバネ係合具３６の移動を規制する。つまり、第２突出部３１６ｇは、取付面部３１１に沿う中向きＸ２へのバネ係合具３６の移動を規制する。第２突出部３１６ｇは、スライド片３８４が幅狭部３２１ｇの先端に突き当たった状態で、バネ係合具３６が台座主部３１０ｇから外れないように、第１係止端部３７０を係止する。
【０１６２】
（変形例１）
台座主部３１０ｇが１個の第２突出部３１６ｇ（爪部３１６ｇ）を有し、連結底面部３６２ｇが１個の第２係合部３６９ｇ（係合孔）を有していてもよい。
【０１６３】
（変形例２）
台座主部３１０ｇが短手方向Ｙに２個のスライド貫通孔３１９ｇ（スリット）を有し、取付機能部３８３ｇが２個のスライド片３８４を有していてもよい。
【０１６４】
以上、本発明の実施の形態を照明装置１を例にして説明したが、前述した固定機構と固定方法は、台座に取付部品を取りつける場合、又は、一方の部品を他方の部品に固定する場合に適用することができる。
【０１６５】
以上、本発明の実施の形態について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【０１６６】
１  照明装置、１０  連結装置、２  器具、２０  器具本体、２００  灯具収容部、２０１  器具底面部、２０２  器具側面部、２０３  開口縁部、２０４  斜面部、２０８  器具係合部、２１  器具端部、２１０  ノックアウト、２２  器具側連結部、２２０  固定部、２２１  第１平坦部、２２２  貫通孔、２２３  バネ係止片、２２４  弾性変形部、２２５  第１曲げ部、２２６  第２平坦部、２２７  第２曲げ部、２２８  第３平坦部、２２９  第３曲げ部、２３０  第４平坦部、２３１  第４曲げ部、２３２  円弧部、２３２ａ  裏面、２３３  先端部、２４  器具配線具、２４０  器具電源線、２４１  器具電源線コネクタ、２４３  端子台、２５  ネジ、３  灯具、３０  発光部、３００  基板、３０１  発光素子、３１  台座、３１０  台座主部、３１０  台座主部、３１０ｇ  台座主部、３１１  取付面部、３１２  載置面部、３１３  長手端部、３１５  第１突出部、３１５０  差込口、３１５１  突出口、３１５２  出口端面、３１５３  上端面、３１５４  側端面、３１６  第２突出部、３１６ａ  第２突出部、３１６ｇ  第２突出部、３１６  爪部、３１６ａ  爪部、３１６ｇ  爪部、３１６  爪部、３１７  爪先端部、３１７ｇ  爪先端部、３１７ａ  爪先端部、３１８  爪後退部、３１９  スライド貫通孔、３１９ｇ  スライド貫通孔、３２０  幅広部、３２０ｇ  幅広部、３２１  幅狭部、３２１ｇ  幅狭部、３２２  台座側部、３２３  基端部、３２４  台座係合部、３２５  点灯装置固定部、３２６  点灯装置係止部、３２７  貫通孔、３３  カバー、３３０  主カバー部、３３１  透光部、３３２  カバー主部、３３３  カバー側部、３３６  取付部、３３７  カバー係合部、３３８  カバー支持部、３４０  端部カバー、３５  点灯装置、３５０  電源ユニット、３５１  電源ケース、３６  灯具側連結部、３６０  連結主部、３６００  第１面、３６０１  第２面、３６１  貫通孔、３６１０  上縁部、３６１１  下縁部、３６１２  側縁部、３６２  連結底面部、３６２ｃ  連結底面部、３６２ｄ  連結底面部、３６２ｆ  連結底面部、３６２ｇ  連結底面部、３６２０  露出面、３６２１  密着面、３６３  第１係合部、３６３ｂ  第１係合部、３６３ｃ  第１係合部、３６３ｄ  第１係合部、３６３ｅ  第１係合部、３６４  係合片、３６５  第１係合片、３６６  第２係合片、３６７  隆起部、３６８  切欠き部、３６９  第２係合部、３６９ａ  第２係合部、３６９ｃ  第２係合部、３６９ｄ  第２係合部、３６９ｅ  第２係合部、３６９ｆ  第２係合部、３６９ｇ  第２係合部、３７０  第１係止端部、３７０ａ  第１係止端部、３７０ｇ  第１係止端部、３７１  第１係止先端部、３７２  第２係止片、３７２ｄ  第２係止片、３７２ｅ  第２係止片、３７３  第５係合片、３７４  第２係止端部、３７４ｄ  第２係止端部、３７４ｅ  第２係止端部、３７５  第３係止片、３７５ｄ  第３係止片、３７６  第３係止端部、３７６ｄ  第３係止端部、３７７  第４係止片、３７８  第５係止端部、３７９  第４係止端部、３８０  上端部、３８１  連結側部、３８２  側部底面部、３８３  取付機能部、３８３ｇ  取付機能部、３８４  スライド片、３８５  カバー保持片、３８６  台座係止片、４０  灯具配線具、４００  灯具電線、４０１  灯具電源線、４０２  灯具電源線コネクタ、４０３  給電線、４０４  給電線コネクタ、４０６  電線配置具、４０７  電線保持具、９  造営部。
【図１】
2019175607.tif 000003
【図２】
2019175607.tif 000004
【図３】
2019175607.tif 000005
【図４】
2019175607.tif 000006
【図５】
2019175607.tif 000007
【図６】
2019175607.tif 000008
【図７】
2019175607.tif 000009
【図８】
2019175607.tif 000010
【図９】
2019175607.tif 000011
【図１０】
2019175607.tif 000012
【図１１】
2019175607.tif 000013
【図１２】
2019175607.tif 000014
【図１３】
2019175607.tif 000015
【図１４】
2019175607.tif 000016
【図１５】
2019175607.tif 000017
【図１６】
2019175607.tif 000018
【図１７】
2019175607.tif 000019
【図１８】
2019175607.tif 000020
【図１９】
2019175607.tif 000021
【図２０】
2019175607.tif 000022
【図２１】
2019175607.tif 000023